(57)【要約】【課題】容器本体のフランジと蓋との間シール性に優れており、硬式テニスボールが加圧封入されたテニスボール容器として好適な耐圧容器を提供する。【解決手段】耐圧容器は、底部が閉じ、上部が開放した有底円筒状の容器本体１の上部の開口部に蓋２が二重巻き締めにより固着され、第１のシール剤３及び第２のシール剤４でシールされたものである。容器本体１はＰＥＴ製であり、蓋２はアルミニウム製である。内環部２ｂの下面に第１のシール剤３を塗布すると共に、フランジ１ｆの下面に第２のシール剤３を塗布し、二重巻き締めする。【選択図】図１
2012111523.tif 000002
【特許請求の範囲】
【請求項１】
入口部に外向きのフランジを有した合成樹脂製の容器本体の該入口部に金属製の蓋を被せ、該蓋と前記フランジとを重ね合わせて二重巻き締めしてなる耐圧容器であって、二重巻き締め前の状態において、該蓋の周縁部は該フランジの周縁部よりも外方に張り出しており、蓋はフランジの表側に重なっており、二重巻き締めによって蓋の周縁部がフランジの裏側に折り返され、且つ蓋の周縁部及びフランジの重なり合った部分が容器本体の外周面に沿うように折曲されている耐圧容器において、
該フランジの表側と蓋の周縁部との間をシールする第１のシール剤と、
その他の部分をシールする第２のシール剤とを備えたことを特徴とする耐圧容器。
【請求項２】
請求項１において、前記第２のシール剤は、フランジの裏側と蓋との間をシールしていることを特徴とする耐圧容器。
【請求項３】
請求項１において、前記第２のシール剤は、蓋の周縁部と容器本体の外周面との間をシールしていることを特徴とする耐圧容器。
【請求項４】
請求項１において、前記第２のシール剤は、前記容器本体の外周面に沿うように折曲された前記蓋及びフランジの先端部と該容器本体の外周面との隅部をシールしていることを特徴とする耐圧容器。
【請求項５】
請求項１において、前記蓋は、前記容器本体の内周面に沿う周壁部を備えており、前記第２のシール剤は、該周壁部の外周面と前記容器本体の内周面との間をシールしていることを特徴とする耐圧容器。
【請求項６】
請求項１ないし５のいずれか１項において、硬式テニスボールが加圧封入されたテニスボール容器であることを特徴とする耐圧容器。
【発明の詳細な説明】
【技術分野】
【０００１】
本発明は、合成樹脂製の容器本体に金属製の蓋を装着した耐圧容器に係り、詳しくは、容器本体に蓋を被せ、容器本体のフランジの周縁部と蓋の周縁部とを二重巻き締めして蓋を容器本体に装着した耐圧容器に関する。本発明は、特に硬式テニスボールを加圧封入した容器として好適な耐圧容器に関する。
【背景技術】
【０００２】
テニスボールのような加圧下で保存が望まれる収容物の収容用容器として、金属缶に代えて、ポリエチレンテレフタレート（ＰＥＴ）等の合成樹脂をブロー成形して製造した合成樹脂製の容器が広く使用されるようになっている。
【０００３】
テニスボール等を加圧保存する加圧容器として、合成樹脂製の容器を使用する場合、金属缶の場合と同様に、容器に収容物を充填した後、加圧下で容器の開口周縁から突設されたフランジ部に金属製の容器蓋を二重巻き締めして容器を閉鎖し、容器内部を加圧状態にシールする（特許文献１）。
【０００４】
第７図（ａ），（ｂ）は、特許文献１の耐圧広口容器１０を示す。この容器１０はポリエチレンテレフタレートから一体成形されたテニスボール容器であり、円筒状の胴部１１と、該胴部１１の一端の広口１２の外周より突設されたフランジ部１３と、胴部１１の他端を閉鎖する底部１４とを備えている。底部１４は、ドーム状に窪んでおり、容器１０に内圧がかかっても変形しにくい形状となっている。
【０００５】
この容器１０にテニスボールを充填した後、容器１０内を加圧し、第８図のようにアルミニウム製の容器蓋２５により広口１２を閉鎖すると共に、該容器蓋２５の外周部をフランジ部１３に二重巻き締めして、容器１０内の圧力をシールする。この二重巻き締めには、シーマーと称される巻締め機が用いられる。シーマーの中のチャンバー内を加圧しながら、第８図の通り、容器蓋２５をフランジ部１３に二重巻き締めする。この際、容器蓋２５の外周部の裏面にシール剤２６を予め塗布しておき、容器蓋２５とフランジ部１３との巻き締め部分のシール性を高める。
【０００６】
第９図はテニスボールを収容した容器の斜視図である。容器１０内に収容されたテニスボールＢの内圧は大気圧（例えば１kgf/cm２）プラス約０．８kgf/cm２である。容器１０の内圧は大気圧（例えば１kgf/cm２）プラス０．５〜１．５kgf/cm２であり、容器１０内に収容したテニスボールの内圧を保持している。
【先行技術文献】
【特許文献】
【０００７】
【特許文献１】特開２０００−９５２２４
【発明の概要】
【発明が解決しようとする課題】
【０００８】
上記特許文献１の容器では、シール剤２６がフランジ部１３の表側と蓋２５の周縁部との間にのみ介在されており、シール性が不十分であり、テニスボールの内圧が低下する等、テニスボールの品質を長期間担保できない。本発明は、容器本体と蓋との間シール性を向上させ、長期間にわたってテニスボールの品質を担保できる耐圧容器を提供することを目的とする。
【課題を解決するための手段】
【０００９】
請求項１の耐圧容器は、入口部に外向きのフランジを有した合成樹脂製の容器本体の該入口部に金属製の蓋を被せ、該蓋と前記フランジとを重ね合わせて二重巻き締めしてなる耐圧容器であって、二重巻き締め前の状態において、該蓋の周縁部は該フランジの周縁部よりも外方に張り出しており、蓋はフランジの表側に重なっており、二重巻き締めによって蓋の周縁部がフランジの裏側に折り返され、且つ蓋の周縁部及びフランジの重なり合った部分が容器本体の外周面に沿うように折曲されている耐圧容器において、該フランジの表側と蓋の周縁部との間をシールする第１のシール剤と、その他の部分をシールする第２のシール剤とを備えたことを特徴とするものである。
【００１０】
請求項２の耐圧容器は、請求項１において、前記第２のシール剤は、フランジの裏側と蓋との間をシールしていることを特徴とするものである。
【００１１】
請求項３の耐圧容器は、請求項１において、前記第２のシール剤は、蓋の周縁部と容器本体の外周面との間をシールしていることを特徴とするものである。
【００１２】
請求項４の耐圧容器は、請求項１において、前記第２のシール剤は、前記容器本体の外周面に沿うように折曲された前記蓋及びフランジの先端部と該容器本体の外周面との隅部をシールしていることを特徴とするものである。
【００１３】
請求項５の耐圧容器は、請求項１において、前記蓋は、前記容器本体の内周面に沿う周壁部を備えており、前記第２のシール剤は、該周壁部の外周面と前記容器本体の内周面との間をシールしていることを特徴とするものである。
【００１４】
請求項６の耐圧容器は、請求項１ないし５のいずれか１項において、硬式テニスボールが加圧封入されたテニスボール容器であることを特徴とするものである。
【発明の効果】
【００１５】
本発明の耐圧容器は、容器本体のフランジの表側と蓋との間の第１のシール剤だけでなく、その他の部分にも第２のシール剤を介在させているので、容器本体と蓋との間シール性を向上させ、長期間にわたってテニスボールの品質を担保することができる。
【図面の簡単な説明】
【００１６】
【図１】実施の形態に係る耐圧容器の一部の拡大断面図である。
【図２】図１の耐圧容器の二重巻き締め前の断面図である。
【図３】図１の耐圧容器の二重巻き締め途中の断面図である。
【図４】別の実施の形態に係る耐圧容器の一部の拡大断面図である。
【図５】別の実施の形態に係る耐圧容器の一部の拡大断面図である。
【図６】フランジ部の加温方法の説明図である。
【図７】従来例を示す断面図である。
【図８】従来の二重巻き締めを示す断面図である。
【図９】テニスボール容器の斜視図である。
【発明を実施するための形態】
【００１７】
以下、第１図〜第３図を参照して第１の実施の形態について説明する。第１図は第１の実施の形態に係る耐圧容器の容器本体と蓋との二重巻き締め部分の断面図、第２図はこの容器本体の二重巻き締め前の状態を示す断面図、第３図は二重巻き締め途中の状態を示す断面図である。
【００１８】
第１図の耐圧容器は、底部が閉じ、上部が開放した有底円筒状の容器本体１の上部の開口部に蓋２が二重巻き締めにより固着され、第１のシール剤３及び第２のシール剤４でシールされたものである。容器本体１は合成樹脂製であり、この実施の形態ではＰＥＴ製とされている。容器本体１の上端には、直径方向の外方に拡開するフランジ１ｆが設けられている。蓋２はアルミニウム又はアルミニウム合金製とされているが、他の金属で構成されてもよい。
【００１９】
この実施の形態では、蓋２は、第２図の通り、二重巻き締め前の状態において、板央部２ｍと、該板央部２ｂの外周部から立ち上がり、該板央部２ｂを環状に取り囲んでいる短い円筒状の周壁部２ａと、該周壁部２ａの上端から直径方向の外方に拡開する鍔部２ｆとを備えている。シーマーで二重巻き締めする前の鍔部２ｆは、周壁部２ａ側の円板状の内環部２ｂと、該内環部２ｂの外周縁から容器本体１の底部方向へ垂設された短い略円筒状の外環部２ｃとからなる。巻き易くするために、外環部２ｃは途中から内側に窄まっている。
【００２０】
外環部２ｃの内径は、フランジ１ｆの直径（外径）よりも若干大きく、二重巻き締め前の蓋２の外環部２ｃ内にフランジ１ｆが入り込み得るようになっている。
【００２１】
容器本体１に蓋２を被せて固着するには、第２図の通り、内環部２ｂの下面に第１のシール剤３を塗布すると共に、フランジ１ｆの下面に第２のシール剤４を塗布する。そして、第３図の通り、蓋２の板央部２ｍを容器本体１の上部から内環部２ｂがフランジ１ｆに重なるまで押し込んだ後、前記第８図と同じ要領で二重巻き締めする。即ち、シーマーによってまず外環部２ｃを第３図のようにフランジ１ｆの下側へ回り込ませるように約９０°折り返し、フランジ１ｆを上下から内環部２ｂと外環部２ｃとで挟んだサンドイッチ状とする。次いで、このサンドイッチ状に折り重なった内環部２ｂ、フランジ１ｆ及び外環部２ｃを容器本体１の外周面に沿わせるように第３図の下方に９０°折曲する。これにより、第１図の通り蓋２が容器本体１に固着された容器となる。
【００２２】
この容器にあっては、フランジ１ｆの表側と内環部２ｂとの間が第１のシール剤３でシールされると共に、フランジ１ｆの裏側と外環部２ｃとの間が第２のシール剤４によってシールされているので、シール性が高い。
【００２３】
第４図は別の実施の形態に係る容器の第１図と同様部分の断面図である。この実施の形態では、第１図の第２のシール剤４が省略され、代りに内環部２ｂ、フランジ１ｆ及び外環部２ｃのサンドイッチ状重ね合わせ体の下端と容器本体１の外周面との隅角部に第２のシール剤５が設けられている。即ち、前記第２図の状態において、第１のシール剤３を塗布し、第２のシール剤４を塗布しないものとする。この状態で、フランジ１ｆに対し内環部２ｂを重ね合わせ、次いで第３図と同様にしてシーマーによって外環部２ｃをフランジ１ｆの裏側に略９０°折り返して内環部２ｂ、フランジ１ｆ及び外環部２ｃをサンドイッチ状重ね合わせ体とし、次いでこのサンドイッチ状重ね合わせ体を容器本体１の外周面に沿わせるように約９０°折曲させた後、サンドイッチ状重ね合わせ体の下端と容器本体１の外周面とのコーナー部に第２のシール剤５を塗布する。これにより、第４図のシール構造が得られる。
【００２４】
第５図はさらに別の実施の形態に係る容器の第１図と同様部分の断面図である。この実施の形態では、第１図の第２のシール剤４が省略され、代りに蓋２の周壁部２ａの外周面と容器本体１の内周面との間に第２のシール剤６が設けられている。即ち、前記第２図の状態において、内環部２ｂに第１のシール剤３を塗布し、容器本体１の上部内周面又は周壁部２ａの外周面に第２のシール剤４を塗布しないものとする。この状態で、フランジ１ｆに対し内環部２ｂを重ね合わせ、次いで第３図と同様にしてシーマーによって外環部２ｃをフランジ１ｆの裏側に略９０°折り返して内環部２ｂ、フランジ１ｆ及び外環部２ｃをサンドイッチ状重ね合わせ体とし、次いでこのサンドイッチ状重ね合わせ体を容器本体１の外周面に沿わせるように約９０°折曲させる。これにより、第５図のシール構造が得られる。
【００２５】
図示は省略するが、第１図に示す第２のシール剤４と、第４図に示す第２のシール剤５と、第５図に示す第２のシール剤６との２つのシール剤又はすべてのシール剤を設けてもよい。このようにすればさらにシール性が向上する。
【００２６】
シール剤３，４としては、各種の接着剤や封止剤、例えばアクリレート共重合物、エチレン酢酸ビニル共重合物、ポリオレフィン共重合物、合成ゴムなどを用いることができるが、これに限定されない。また、シール剤３，４，６に関しては、上記４種類のいずれかを使用すればよいが、シール剤５に関しては、合成ゴム以外の３つが適している。合成ゴムは気体透過率が高いため、シール剤５には適さない。
【００２７】
本発明では、上記二重巻き締めを行うときにフランジ部１ｆを加温してもよい。第６図は、この加温を行う方法の一例を示すものであり、容器本体１のフランジ部１ｆを加熱器１０に接触させることにより、フランジ部１ｆを約５０〜７０℃程度に容易に加温することができる。このようにすることにより、例えば、容器本体の製造から長期間経過してフランジ部１ｆが硬化した場合であっても、該フランジ部１ｆを軟化させることができ、巻き締めの際のフランジ部１ｆの破損を防止できる。
【符号の説明】
【００２８】
１  容器本体
１ｆ  フランジ部
２  蓋
２ｆ  鍔部
３  第１のシール剤
４〜６  第２のシール剤
１０  加温器
【図１】
2012111523.tif 000003
【図２】
2012111523.tif 000004
【図３】
2012111523.tif 000005
【図４】
2012111523.tif 000006
【図５】
2012111523.tif 000007
【図６】
2012111523.tif 000008
【図７】
2012111523.tif 000009
【図８】
2012111523.tif 000010
【図９】
2012111523.tif 000011